(57)【要約】【課題】排水口から電気接続箱内に水を進入し難くすることができ、かつ、コストアップを抑えることができる電気接続箱を提供する。【解決手段】電気接続箱１は、電子部品１２，１３が装着されるフレーム２と、第２のカバー４と、を備えている。第２のカバー４は、フレーム２に取り付けられた状態で、周壁４１の端部がフレーム２の周壁２１の端部に重なる。固定部９９に固定された状態での電気接続箱１の底面において、互いに重ね合わされた周壁２１端部及び周壁４１端部のうち外方に位置する周壁２１端部には、排水口５が設けられている。排水口５は、周壁４１端部との重なり面２１ａから凹に形成されており、周壁２１端部の端面２１ｂ及び重なり面２１ａの２方向に開口している。又、排水口５は、端面２１ｂと反対側が、周壁４１端部と重ならない箇所まで延びている。【選択図】図３
2015104205.tif 000002
【特許請求の範囲】
【請求項１】
電子部品が装着されるフレームと、該フレームに取り付けられるカバーと、を備え、
前記フレーム側外壁の端部と前記カバー側外壁の端部とが重ね合わされる電気接続箱において、
前記フレーム側外壁の端部及び前記カバー側外壁の端部のうち外方に位置する一方に、他方との重なり面から凹に形成されかつ当該一方の端面及び前記重なり面の２方向に開口した排水口が設けられ、該排水口は、前記端面と反対側が、前記他方と重ならない箇所まで延びており、
車体に固定された状態での底面に前記排水口が設けられている
ことを特徴とする電気接続箱。
【請求項２】
前記排水口が設けられた外壁の少なくとも一部又は前記排水口の一部を塞ぐ外壁の少なくとも一部が、前記排水口に向かって下り勾配に形成されている
ことを特徴とする請求項１に記載の電気接続箱。
【発明の詳細な説明】
【技術分野】
【０００１】
本発明は、自動車に搭載されて主に電源分配を行う電気接続箱に関するものである。
【背景技術】
【０００２】
自動車に搭載される電気接続箱は様々な構造のものがあるが、例えば、電子部品が装着されるフレームと、該フレームの上面側に取り付けられるアッパカバーと、フレームの下面側に取り付けられるロアカバーと、を備えた構造のものがある。又、このような構造の電気接続箱においては、電気接続箱内に進入した雨水や結露により生じた水等を排出するために、電気接続箱の最下部、すなわちロアカバーの底面、に排水口を貫通形成することが一般的である（例えば特許文献１を参照。）。
【先行技術文献】
【特許文献】
【０００３】
【特許文献１】特開２００４−０６４８７３号公報
【発明の概要】
【発明が解決しようとする課題】
【０００４】
一方、上記電気接続箱は、アッパカバー、フレーム、ロアカバーの一側面が最下部となる向きで車体に固定されることがある。この場合、上記排水口は、アッパカバー、フレーム、ロアカバーのうち何れかの部材の一側面に設けることが望ましい。しかしながら、アッパカバー、フレーム、ロアカバーの何れかの部材の一側面に排水口を貫通形成する場合、以下に示す問題があった。
【０００５】
アッパカバー、フレーム、ロアカバーの各部材を成形するには、通常、当該部材の深さ方向に接離する一対の成形金型を用いるが、前記部材の一側面に排水口を貫通形成するためには、前記一対の成形金型の接離方向と直交する方向にスライドするスライド金型をさらに使用する必要があるので、製造コストがアップしてしまうという問題があった。
【０００６】
さらに、車体に固定する際の電気接続箱の向きに係わらず、上記排水口を単純な貫通孔とした場合、車体等に当たって跳ね返った水が、前記排水口から電気接続箱内に進入することがあるという問題があった。
【０００７】
したがって、本発明は、排水口から電気接続箱内に水を進入し難くすることができ、かつ、コストアップを抑えることができる電気接続箱を提供することを目的とする。
【課題を解決するための手段】
【０００８】
請求項１に記載された発明は、電子部品が装着されるフレームと、該フレームに取り付けられるカバーと、を備え、前記フレーム側外壁の端部と前記カバー側外壁の端部とが重ね合わされる電気接続箱において、前記フレーム側外壁の端部及び前記カバー側外壁の端部のうち外方に位置する一方に、他方との重なり面から凹に形成されかつ当該一方の端面及び前記重なり面の２方向に開口した排水口が設けられ、該排水口は、前記端面と反対側が、前記他方と重ならない箇所まで延びており、車体に固定された状態での底面に前記排水口が設けられていることを特徴とする電気接続箱である。
【０００９】
請求項２に記載された発明は、請求項１に記載された発明において、前記排水口が設けられた外壁の少なくとも一部又は前記排水口の一部を塞ぐ外壁の少なくとも一部が、前記排水口に向かって下り勾配に形成されていることを特徴とするものである。
【発明の効果】
【００１０】
請求項１に記載された発明によれば、底面に設けられた排水口は、鉛直方向の下方ではなく、「一方の端面方向（すなわち水平方向）」及び「重なり面方向（すなわち上方）」の２方向に開口しており、かつ、重なり面方向の開口においては端面側が他方によって塞がれているので、車体等に当たって跳ね返った水が排水口から電気接続箱内に進入し難い。又、排水口は、貫通孔ではないので、フレーム及びカバーを単純な成形金型によって成形することができ、コストアップを抑えることができる。
【００１１】
請求項２に記載された発明によれば、前記排水口が設けられた外壁の少なくとも一部又は前記排水口の一部を塞ぐ外壁の少なくとも一部が、前記排水口に向かって下り勾配に形成されているので、当該構造によって電気接続箱内の水を排水口側に誘導することができる。
【図面の簡単な説明】
【００１２】
【図１】本発明の一実施形態にかかる電気接続箱が車体に固定された状態を示す側面図である。
【図２】図１に示された電気接続箱の斜視図である。
【図３】図２中のＡ−Ａ線に沿った断面図である。
【図４】図３中のＢ部の拡大図である。
【図５】図２に示されたフレームの図中下側の部分を示す斜視図である。
【図６】図５中のＣ部の拡大図である。
【図７】図２中下側に位置するカバーの斜視図である。
【図８】図２中のＤ−Ｄ線に沿った断面斜視図である。
【図９】図８中のＥ部の拡大図である。
【図１０】図２中のＦ−Ｆ線に沿った断面図である。
【発明を実施するための形態】
【００１３】
本発明の一実施形態にかかる「電気接続箱」を図１〜１０を参照して説明する。図１〜３に示す電気接続箱１は、自動車に搭載されて主に電源分配を行うものであり、図１に示すように、車体における鉛直方向に延びた固定部９９に固定される。図１中の矢印Ｙは鉛直下方向を示しており、矢印Ｙと直交した矢印Ｚ，矢印Ｘは水平方向を示している。
【００１４】
電気接続箱１は、フレーム２、フレーム２の一方側に取り付けられる第１のカバー３、フレーム２の他方側に取り付けられる第２のカバー４（請求項の「カバー」に相当する。）、から成るケース１０と、ケース１０内に収容される複数の部品と、を備えている。ケース１０の側面には、複数の電線が挿通される電線挿通孔７が設けられている。又、フレーム２、第１のカバー３、第２のカバー４は、それぞれ合成樹脂で構成されており、周知の射出成型によって成形されている。
【００１５】
フレーム２は、筒状の周壁２１と、周壁２１の内側に設けられた部品装着部２４と、周壁２１の外側に設けられた補強部６と、周壁２１の外面に連なって設けられ、固定部９９に重ねられてボルト締めされるブラケット２２，２３と、を有している。
【００１６】
周壁２１の片側かつ第１のカバー３が取り付けられる側の端部には凸部２７が一対設けられ、周壁２１の反対側かつ第１のカバー３が取り付けられる側の端部には係止受け部２８が一つ設けられている。又、図５，１０に示すように、周壁２１の第２のカバー４が取り付けられる側の端部には、複数の係止受け部２５と、複数のスリット２６と、が設けられている。これら凸部２７、係止受け部２８、係止受け部２５、スリット２６については後述する。
【００１７】
部品装着部２４の一方側にはリレー、ヒューズ、ヒュージブルリンク等の複数の電子部品１１，１２，１３が装着され、部品装着部２４の他方側には複数の電線及びバスバが挿入される（図１〜１０においては、電線及びバスバの図示を省略している。）。
【００１８】
補強部６は、周壁２１の外側に周壁２１と間隔をあけて配置された補強壁６１と、補強壁６１と周壁２１とを連結した複数の補強リブ６２と、で構成されている。この補強部６は、フレーム２の複数箇所に設けられている。
【００１９】
第１のカバー３は、板部３０と該板部３０の外縁から立設した周壁３１と、を有する箱状に形成されている。周壁３１の片側かつフレーム２側の端部には引掛け部３７が一対設けられ、周壁３１の反対側かつフレーム２側の端部には係止部３８が一つ設けられている。
【００２０】
図３，８に示すように、第１のカバー３は、フレーム２に取り付けられた状態で、部品装着部２４の電子部品１１，１２，１３が装着された側を覆い、周壁３１の端部がフレーム２の周壁２１の端部に重なる。又、一対の引掛け部３７が周壁２１に設けられた一対の凸部２７に引っ掛かり、係止部３８が周壁２１に設けられた係止受け部２８に係止する。
【００２１】
第２のカバー４は、図７に示すように、板部４０と該板部４０の外縁から立設した周壁４１と、を有する箱状に形成されている。周壁４１のフレーム２側の端部には、複数の係止部４５と、複数のＴ字リブ４６と、が設けられている。Ｔ字リブ４６は、周壁４１の外面からフレーム２側に片持ち板状に延びた板片４６ａと、板片４６ａの内面（周壁４１側の面）から突出したリブ４６ｂと、で構成されている。
【００２２】
図３，８に示すように、第２のカバー４は、フレーム２に取り付けられた状態で、部品装着部２４の電線及びバスバ（不図示）が挿入された側を覆い、周壁４１の端部がフレーム２の周壁２１の端部に重なる。又、周壁４１の端部は、周壁２１の端部の内方に位置付けられる。又、図９，１０に示すように、複数の係止部４５が周壁２１に設けられた複数の係止受け部２５に係止し、複数のＴ字リブ４６の各リブ４６ｂが周壁２１に設けられた各スリット２６内に位置付けられる。
【００２３】
上記Ｔ字リブ４６の作用についてさらに詳細に説明する。Ｔ字リブ４６は、第２のカバー４がフレーム２に取り付けられた状態で、板片４６ａが周壁２１の外面に沿い、リブ４６ｂがスリット２６内に位置付けられる。このことにより、フレーム２と第２のカバー４との矢印Ｙ方向及び矢印Ｚ方向のがたつきが抑えられると共に、ケース１０の剛性が補強される。
【００２４】
又、Ｔ字リブ４６の先端は、係止部４５の先端よりも板部４０側に位置付けられていることから、第２のカバー４をフレーム２に取り付ける際、係止部４５を係止受け部２５に対して位置決めすることにより、各リブ４６ｂが対応する各スリット２６に対して位置決めされることになる。このため、作業者は、各リブ４６ｂと各スリット２６との位置合わせを意識することなく第２のカバー４をフレーム２に取り付けることができる。
【００２５】
さらに、係止部４５は係止受け部２５を撓ませながら該係止受け部２５に係止する構造であるので、第２のカバー４をフレーム２に取り付ける際、作業者は、係止部４５を係止受け部２５に係止させるために第２のカバー４をフレーム２側にある程度の力で押圧する必要があるが、Ｔ字リブ４６はフレーム２の何れかの部位を押圧したり変形させたりする構造ではないので、Ｔ字リブ４６を設けても第２のカバー４取り付け時の押圧力が増加せず、作業者に掛かる負担が少ない。
【００２６】
このような電気接続箱１は、第２のカバー４の板部４０が固定部９９と対向する向きで、ブラケット２２，２３が固定部９９にボルト締めされることにより、固定部９９に固定される。又、電気接続箱１は、電線挿通孔７に挿通された複数の電線を伝ってケース１０内に進入した雨水や結露によりケース１０内に生じた水等をケース１０外に排出する排水構造を有している。以下、この排水構造について説明する。
【００２７】
固定部９９に固定された状態でのケース１０の底面において、互いに重ね合わされた「周壁２１（請求項のフレーム側外壁に相当する。）の端部」及び「周壁４１（請求項のカバー側外壁に相当する。）の端部」のうち外方に位置する「周壁２１の端部」には、排水口５が設けられている。又、排水口５は、図５に示すように、周壁２１端部の２箇所に設けられている。
【００２８】
図３〜６に示すように、排水口５は、周壁４１端部との重なり面２１ａから凹に形成されており、周壁２１端部の端面２１ｂ（第２のカバー４側の端面である。）及び重なり面２１ａの２方向に開口している。又、排水口５は、端面２１ｂと反対側が、周壁４１端部と重ならない箇所まで延びている。さらに、周壁４１は、固定部９９に固定された状態でのケース１０の底面に位置する一部分４１ａが、排水口５に向かって下り勾配に形成されている。
【００２９】
このような排水構造を有する電気接続箱１においては、ケース１０内の水が、図４中の矢印で示すように、ケース１０底面の排水口５からケース１０外に排出される。又、ケース１０底面においては、上述した周壁４１の一部分４１ａによって水が排水口５側に誘導される。
【００３０】
上記排水口５は、鉛直方向の下方ではなく、「周壁２１端部の端面２１ｂ方向（すなわち水平方向）」及び「重なり面２１ａ方向（すなわち上方）」の２方向に開口しており、かつ、重なり面２１ａ方向の開口においては端面２１ｂ側が周壁４１端部によって塞がれているので、車体等に当たって跳ね返った水が排水口５からケース１０内に進入し難い。
【００３１】
又、上記排水口５は、周壁２１を貫通した貫通孔ではないので、フレーム２を単純な成形金型によって成形することができ、コストアップを抑えることができる。すなわち、周壁２１に貫通孔を形成するためには、フレーム２の深さ方向（矢印Ｘ）に接離する一対の成形金型の他に、前記接離方向と直交する方向（矢印Ｙ）にスライドするスライド金型を使用する必要があるが、排水口５は貫通孔ではないのでスライド金型を使用する必要が無い。
【００３２】
又、電気接続箱１においては、固定部９９に固定された状態でのケース１０の底面において、互いに重ね合わされた「周壁２１の端部」及び「周壁３１の端部」のうち外方に位置する「周壁３１の端部」に、排水口５を設けても良い。
【００３３】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３４】
１  電気接続箱
２  フレーム
４  第２のカバー（カバー）
５  排水口
２１  周壁（フレーム側外壁）
２１ａ  重なり面
２１ｂ  端面
４１  周壁（カバー側外壁）
【図１】
2015104205.tif 000003
【図２】
2015104205.tif 000004
【図３】
2015104205.tif 000005
【図４】
2015104205.tif 000006
【図５】
2015104205.tif 000007
【図６】
2015104205.tif 000008
【図７】
2015104205.tif 000009
【図８】
2015104205.tif 000010
【図９】
2015104205.tif 000011
【図１０】
2015104205.tif 000012